(57)【特許請求の範囲】
【請求項１】
トランスポートストリームフォーマットを基礎とし、ディジタルビデオ信号の再生及び記録に使用される装置固有の第１のデータフォーマットを有するディジタルビデオ信号を再生及び記録する装置であって、
装置のアナログ入力側に入力されるアナログビデオ信号を、前記トランスポートストリームフォーマットを有する第１の信号に変換する符号器を有し、前記トランスポートストリームフォーマットを有する前記第１の信号を第１のデータフォーマットを有する第１のディジタルビデオ信号に変換する第１の変換器及び第１のデータフォーマットを有する第２のディジタルビデオ信号を前記トランスポートストリームフォーマットを有する第２の信号に変換する第２の変換器を有する、第１のデータフォーマットを有する第１のディジタルビデオ信号を記録する及び第１のデータフォーマットを有する第２のディジタルビデオ信号を再生するためのディジタルビデオ装置において、
前記トランスポートストリームフォーマットを有する前記第１の信号を、同一のトランスポートストリームフォーマットを基礎とする、ネットワークにおいて使用されるディジタルビデオ信号の第２のデータフォーマットを有する第１のディジタルビデオ信号に変換する第３の変換器と、前記第２のデータフォーマットを有する第１のディジタルビデオ信号をネットワークに出力するディジタル出力側とを有することを特徴とする、ディジタルビデオ装置。
【請求項２】
第４の変換器及び復号器を有し、前記第４の変換器は前記装置のディジタル入力側に入力される、前記第２のデータフォーマットを有する第２のディジタルビデオ信号を前記トランスポートストリームフォーマットを有する第３の信号に変換し、前記復号器は前記トランスポートストリームフォーマットを有する前記第３の信号を前記装置のアナログ出力側を介して出力されるアナログビデオ信号に変換する、請求項１記載の装置。
【請求項３】
前記第１の変換器は、前記トランスポートストリームフォーマットを有する前記第３の信号を前記第１のデータフォーマットを有する前記第１のディジタルビデオ信号に変換する、請求項２記載の装置。
【請求項４】
前記トランスポートストリームフォーマットはＭＰＥＧ２トランスポートストリームフォーマットである、請求項１から３までのいずれか１項記載の装置。
【請求項５】
前記第２のデータフォーマットはＤＶＢデータフォーマットである、請求項１から３までのいずれか１項記載の装置。
【請求項６】
前記第１のデータフォーマットはＤＶＤデータフォーマットである、請求項１から３までのいずれか１項記載の装置。
【請求項７】
装置のアナログ入力側に入力されるアナログビデオ信号を、トランスポートストリームフォーマットを有する第１の信号に変換し、前記トランスポートストリームフォーマットを有する前記第１の信号を第１のデータフォーマットを有する第１のディジタルビデオ信号にさらに変換する及び第１のデータフォーマットを有する第２のディジタルビデオ信号を前記トランスポートストリームフォーマットを有する第２の信号にさらに変換する、第１のデータフォーマットを有する第１のディジタルビデオ信号を記録する及び第１のデータフォーマットを有する第２のディジタルビデオ信号を再生するディジタルビデオ装置において、前記装置固有の第１のデータフォーマットの基礎をなすトランスポートストリームフォーマットを基礎とし、前記アナログビデオ信号をネットワークにおいて使用されるディジタルビデオ信号の第２のデータフォーマットを有する第１のディジタルビデオ信号に変換する方法において、
アナログ入力側を介して前記アナログビデオ信号を受信するステップと、
前記アナログビデオ信号を符号器によって前記トランスポートストリームフォーマットを有する第１の信号に変換するステップと、
前記トランスポートストリームフォーマットを有する前記第１の信号を第１の変換器によって前記第２のデータフォーマットを有する前記第１のディジタルビデオ信号に変換するステップと、
ディジタル出力側を介して前記第２のデータフォーマットを有する前記第１のディジタルビデオ信号（ＤＶＢ１）を前記ネットワークに出力するステップとを有することを特徴とする、方法。
【請求項８】
装置のアナログ入力側に入力されるアナログビデオ信号を、トランスポートストリームフォーマットを有する第１の信号に変換し、前記トランスポートストリームフォーマットを有する前記第１の信号を第１のデータフォーマットを有する第１のディジタルビデオ信号にさらに変換する及び第１のデータフォーマットを有する第２のディジタルビデオ信号を前記トランスポートストリームフォーマットを有する第２の信号にさらに変換する、第１のデータフォーマットを有する第１のディジタルビデオ信号を記録する及び第１のデータフォーマットを有する第２のディジタルビデオ信号を再生するディジタルビデオ装置において、ディジタルビデオ信号の記録に使用される装置固有の第１のデータフォーマットの基礎をなすトランスポートストリームフォーマットを基礎とし、ネットワークにおいて使用されるディジタルビデオ信号の第２のデータフォーマットを有する第２のディジタルビデオ信号を前記アナログビデオ信号に変換する方法において、
ディジタル入力側を介して前記第２のデータフォーマットを有する前記第２のディジタルビデオ信号をネットワークから受信するステップと、
前記第２のデータフォーマットを有する前記第２のディジタルビデオ信号を第２の変換器によって前記トランスポートストリームフォーマットを有する前記第２の信号に変換するステップと、
前記トランスポートストリームフォーマットを有する前記第２の信号を復号器によって前記アナログビデオ信号に変換するステップと、
アナログ出力側を介して前記アナログビデオ信号を出力するステップとを有することを特徴とする、方法。
【請求項９】
前記トランスポートストリームフォーマットはＭＰＥＧ２トランスポートストリームフォーマットである、請求項７または８記載の方法。
【請求項１０】
前記第２のデータフォーマットはＤＶＢデータフォーマットである、請求項７または８記載の方法。
【請求項１１】
前記第１のデータフォーマットはＤＶＤデータフォーマットである、請求項７または８記載の方法。
【発明の詳細な説明】
【技術分野】
【０００１】
本発明は、符号器によって生成されるトランスポートストリームを基礎とする装置固有のデータフォーマットでディジタルビデオ信号を再生及び／又は記録するための装置及び方法に関する。
【０００２】
そのような装置は消費者エレクトロニクスから例えばディジタルビデオレコーダ、ＤＶＤプレーヤ及び／又はレコーダ、ハードディスクビデオレコーダ及びディジタルカムコーダとして公知である。ディジタルビデオ装置という術語は以下ではこれらの装置に対して使用される。
【０００３】
記憶媒体におけるディジタルビデオ信号を再生及び／又は記録するために、ディジタルビデオ装置は一般的にＭＰＥＧ２トランスポートストリームを基礎とするデータフォーマットまたは直接ＭＰＥＧ２トランスポートストリームを使用する。記憶媒体に記憶するためには、装置に入力されるアナログビデオ信号を先ずＭＰＥＧ２トランスポートストリームに変換し、適切であれば、続いて装置固有のデータフォーマットでディジタルビデオ信号に変換する必要がある。相応にしてアナログ出力装置において再生するためには、記憶媒体上に記録されている装置固有のデータフォーマットのディジタルビデオ信号は、先ずＭＰＥＧ２トランスポートストリームに変換され、次いでアナログビデオ信号に変換されなければならない。記憶媒体上のビデオ信号が既にＭＰＥＧ２トランスポートストリームとして存在するならば変換は不要である。再生及び記録のために、ディジタルビデオ装置はアナログビデオ信号のＭＰＥＧ２トランスポートストリームへの変換及びその逆の変換のためのＭＰＥＧ２符号器及び復号器、また適切であれば、ＭＰＥＧ２トランスポートストリームと装置固有のデータフォーマットとの間の変換のための装置固有の変換器を有する。ＭＰＥＧ２符号器及び復号器は、ディジタルビデオ装置の最も費用のかかる電子構成要素のうちの１つである。
【０００４】
ディジタルデータのネットワークへの伝送に関して、ＤＶＢデータフォーマットが国際規格として存在する。ＤＶＢとはディジタルビデオブロードキャスティング（Digital Video Broadcasting）を表す。ディジタルビデオ信号の伝送に加え、ディジタルラジオプログラム及びコンピュータファイル及び他のディジタルデータの伝送もＤＶＢデータフォーマットを用いて可能である。ＤＶＢデータ信号はＭＰＥＧ２トランスポートストリームを基礎としている。
【０００５】
将来では、消費者エレクトロニクスの分野からの装置が他の装置及びＰＣとますます広範にネットワーク化されることになる。アナログビデオ信号をそのようなネットワークに供給することが予定されれば、このことはアナログビデオ信号をディジタルビデオ信号にネットワークに適したフォーマットで変換する別個の変換装置を要求する。これは例えばＰＣのためのプラグインカードである。
【０００６】
本発明の課題は、ビデオ装置に入力されるアナログビデオ信号をネットワークにおいて使用されるデータフォーマットでディジタルビデオ信号に変換し、またディジタルビデオ信号をそのようなネットワークに供給するための既存の符号器を利用し、したがって別個の変換装置は要求されないディジタルビデオ装置を提案することである。。
【０００７】
本発明によればこの課題は、装置に供給されるアナログビデオ信号をトランスポートストリームに変換する符号器を備えたディジタルビデオ装置が、トランスポートストリームを、同一のトランスポートストリームを基礎とし、またネットワークによって使用されるデータフォーマットでディジタルビデオ信号に変換する付加的な変換器を有し、変換されたビデオ信号が装置の出力側を介してそのようなネットワークに供給されるという利点によって解決される。付加的な変換器を利用すると同時に既存の符号器を使用することは、アナログビデオ信号のネットワークに供給されるディジタルビデオ信号への変換にとってコスト的に有効な解決手段である。
【０００８】
ディジタルビデオ装置は有利には第２の変換器及び復号器を有し、第２の変換器はネットワークから受信した、そのようなネットワークによって使用されるデータフォーマットのディジタルビデオ信号をトランスポートストリームに変換し、復号器はトランスポートストリームをアナログビデオ信号に変換し、このアナログビデオ信号は装置のアナログ出力側を介して出力される。このことはディジタルビデオ装置が、ネットワーク内の他の装置によって生成されたディジタルビデオ信号を、アナログ表示装置に表示できるアナログビデオ信号に変換することもできるという利点を有する。
【０００９】
さらに有利な実施形態においては、ディジタルビデオ装置は２つの別の変換器を有し、第１の変換器はトランスポートストリームを装置固有のデータフォーマットでディジタルビデオ信号に変換し、第２の変換器は装置固有のフォーマットでのディジタルビデオ信号をトランスポートストリームに変換する。もちろんこれらの変換器を１つのモジュールに統合することもできる。このようにして、ネットワークから受信したディジタルビデオ信号を装置固有のデータフォーマットで記憶媒体に記憶することができ、また装置固有のデータフォーマットで記憶媒体から再生されるディジタルビデオ信号をネットワークに関して調節することができ、これらのディジタルビデオ信号をネットワークに供給することができる。
【００１０】
ネットワークによって使用されまた同時に装置固有の第１のデータフォーマットの基礎をなすトランスポートストリームを基礎とするデータフォーマットで、アナログビデオ信号をディジタルビデオ信号に変換するための本発明による方法は、アナログビデオ信号をトランスポートストリームに符号器を使用して変換し、トランスポートストリームを第２のデータフォーマットでディジタルビデオ信号に変換器を使用して変換することを本質とする。
【００１１】
ネットワークによって使用されまた同時に装置固有の第１のデータフォーマットの基礎をなすトランスポートストリームを基礎とするデータフォーマットで、ディジタルビデオ信号をアナログビデオ信号に変換するための本発明による方法は、ディジタルビデオ信号を第２のデータフォーマットでトランスポートストリームに変換器を使用して変換し、トランスポートストリームをアナログビデオ信号に復号器を使用して変換することを本質とする。
【００１２】
本発明によれば、ディジタルビデオ信号及び方法はトランスポートストリームとしてＭＰＥＧ２トランスポートストリームを使用する。このことは、ＭＰＥＧ２が種々の装置固有のデータフォーマットの基礎をなす国際的に承認された規格であるので有利である。
【００１３】
ディジタルビデオ装置及び方法は有利には、ネットワークに供給されるディジタルビデオ信号に関してＤＶＢデータフォーマットを使用する。ＤＶＢはネットワークにおけるデータ交換及びディジタルビデオ信号の伝送のための国際的な規格であるので、大部分のネットワークとの互換性はこのようにして保証されている。
【００１４】
本発明によれば、ディジタルビデオ装置及びディジタルビデオ信号のための方法によって使用される装置固有のデータフォーマットは、ＤＶＤ規格に関連するデータフォーマットである。
【００１５】
もちろん有利な特徴の組合せも同様に本発明の変形の範囲内である。
【００１６】
より良く理解するために、本発明を図１に示されている例示的な有利な実施形態を使用して説明する。ここで、
図１は、例としてＤＶＤレコーダを使用する本発明によるディジタルビデオ装置である。
【００１７】
例としてＤＶＤレコーダを使用する、本発明によるディジタルビデオ装置１が図１に示されている。ここで太く示された矢印は、ＤＶＤレコーダにおいて実現されるビデオ信号の処理の従来のステップを示す。細い矢印はＤＶＤレコーダが本発明に応じて付加的に実行する、ビデオ信号の処理のステップを示す。先ず従来技術から公知であるＤＶＤレコーダにおけるビデオ信号の処理のステップを説明する。
【００１８】
ＤＶＤレコーダ１は信号処理ユニット２０を有し、この信号処理ユニット２０は例えば受信アンテナ１１またはカムコーダ１２に由来し、アナログ入力側２を介してＤＶＤレコーダに供給されるアナログビデオ信号ＡＶｉｎを装置固有のディジタルビデオ信号ＤＶＤ１に変換する。装置固有のディジタルビデオ信号ＤＶＤ１は読み出し及び書き込みユニット６を用いて記憶媒体（図示せず）に記憶される。信号処理ユニット２０は、アナログビデオ信号ＡＶｉｎをＭＰＥＧ２トランスポートストリームＴＳ１に変換する符号器１３を有する。変換器１４はＭＰＥＧ２トランスポートストリームＴＳ１を記録に適した装置固有のビデオ信号ＤＶＤ１に変換する。
【００１９】
ＤＶＤレコーダ１は別の信号処理ユニット２１を有し、この信号処理ユニット２１は記憶媒体（図示せず）から読み出し及び書き込みユニット６によって読み出された装置固有のディジタルビデオ信号ＤＶＤ２をアナログビデオ信号ＡＶｏｕｔに変換する。アナログビデオ信号ＡＶｏｕｔはＤＶＤレコーダ１のアナログ出力側３を介して出力され、アナログビデオ装置に供給されるか、例示的な実施形態のように、アナログ表示装置９に表示される。信号処理ユニット２１は変換器７を有し、この変換器７は装置固有のディジタルビデオ信号ＤＶＤ２をＭＰＥＧ２トランスポートストリームＴＳ２に変換する。復号器８はＭＰＥＧ２トランスポートストリームＴＳ２をアナログビデオ信号ＡＶｏｕｔに変換する。
【００２０】
本発明によれば信号処理ユニット２０は付加的な変換器１０を有し、この付加的な変換器１０は符号器１３または変換器７から出力されたＭＰＥＧ２トランスポートストリームＴＳ１、ＴＳ２をＤＶＤデータフォーマットでビデオ信号ＤＶＢ１に変換する。ビデオ信号ＤＶＢ１はＤＶＤレコーダ１のディジタル出力側５を介して出力され、ネットワーク３０に供給される。したがってＤＶＤレコーダ１は、アナログビデオ信号ＡＶｉｎも記憶媒体（図示せず）に記憶されているディジタルビデオ信号ＤＶＤ２もネットワーク３０に関して調節することができる。
【００２１】
本発明によれば、信号処理ユニット２１は付加的な変換器１５を有し、この付加的な変換器１５は、ネットワーク３０からディジタル入力側４を介してＤＶＤレコーダ１へと供給されるディジタルビデオ信号ＤＶＢ２をＤＶＢデータフォーマットでＭＰＥＧ２トランスポートストリームＴＳ３に変換する。このＭＰＥＧ２トランスポートストリームＴＳ３は復号器８によってアナログビデオ信号ＡＶｏｕｔに変換されて、アナログ出力側３を介してアナログ表示装置９へと出力されるか、変換器１４によって装置固有のデータフォーマットでディジタルビデオ信号ＤＶＤ１に変換されて、読み出し及び書き込みユニット６を用いて記憶媒体（図示せず）に記憶される。したがってＤＶＤレコーダ１は、ネットワーク３０において取得できるディジタルビデオ信号ＤＶＢ２をアナログ表示装置９に表示できるか、または記憶媒体（図示せず）に記憶することができる。
【図面の簡単な説明】
【００２２】
【図１】本発明によるディジタルビデオ装置である。
【図１】
0004528523.tif 000002